(57)【要約】【課題】空気調和機の室外機やヒートポンプ給湯機の室外ユニットなどに用いられる、静翼を備えた送風機での氷の発生や成長による異音の発生や破損を防止すること。【解決手段】固定羽根７の前縁が後縁より下方に位置する領域に設けた固定羽根７どうしの間隔を、固定羽根７の前縁が後縁より上方に位置する領域に設けた固定羽根７どうしの間隔より大きくする。これにより、固定羽根７での氷の発生や成長が防止できるので、氷が動翼と干渉して、異音や破損が起きるのを防止できる。【選択図】図２
2015151922.tif 000002
【特許請求の範囲】
【請求項１】
回転軸を有する回転ハブと回転ハブの周囲に設けられた複数の回転羽根とを有する動翼と、前記動翼の吐出側に設けられ、固定ハブと固定ハブの周囲に設けられた複数の固定羽根とを有する静翼とを備え、前記静翼は、前記固定羽根の前縁が後縁より下方に位置する領域に設けた固定羽根どうしの間隔が、前記固定羽根の前縁が後縁より上方に位置する領域に設けた固定羽根どうしの間隔より大きいことを特徴とした送風機。
【請求項２】
回転軸を有する回転ハブと回転ハブの周囲に設けられた複数の回転羽根とを有する動翼と、前記動翼の吐出側に設けられ、固定ハブと固定ハブの周囲に設けられた複数の固定羽根とを有する静翼とを備え、前記固定羽根の前縁が後縁より下方に位置する領域に設けた少なくとも１枚の固定羽根の形状は、前記固定羽根の前縁が後縁より上方に位置する領域に設けた固定羽根の形状と異なるものであって、当該固定羽根の中央部から外周端までに水平部を設けないことを特徴とした送風機。
【請求項３】
前記複数の固定羽根は、前縁または後縁の少なくとも一方が曲線状に形成されるとともに、前記複数の固定羽根のうち、前縁が後縁より下方にあり、外周端の少なくとも一部が固定ハブ側端より下方にある固定羽根は、当該固定羽根の外周端を当該固定羽根の中央部より下方に設けたことを特徴とした請求項１または２に記載の送風機。
【請求項４】
前記複数の固定羽根のうち、前縁が後縁より下方にある固定羽根を前縁が後縁より上方にある固定羽根と同じ形状で構成すると、前記固定羽根の中央部の少なくとも一部が当該固定羽根の外周端より下方に位置することになる固定羽根を備えていないことを特徴とした請求項１または２に記載の送風機。
【請求項５】
前記水平部を設けない固定羽根は、前記複数の固定羽根のうち、前縁が後縁より下方にある固定羽根を前縁が後縁より上方にある固定羽根と同じ形状で構成すると、前記固定羽根の中央部の少なくとも一部が当該固定羽根の外周端より下方に位置することになる固定羽根であることを特徴とした請求項２に記載の送風機。
【請求項６】
前記水平部を設けない固定羽根の取付角は、他の固定羽根の取付角と同じであることを特徴とした請求項２に記載の送風機。
【請求項７】
請求項１から６のいずれか１項に記載の送風機を搭載した室外ユニット。
【発明の詳細な説明】
【技術分野】
【０００１】
本発明は、送風機、特に空気調和機やヒートポンプ式給湯機などの冷凍装置の室外ユニットに搭載されるものに関するものである。
【背景技術】
【０００２】
近年、空気調和機などの冷凍装置では、地球温暖化の対応として省エネ化が急激に進んでおり、機器の入力の低減が求められている。また、空気調和機の暖房快適性の向上のためには、室外ユニットの熱交換器の高性能化とともに、室外ユニットに搭載される送風機の低騒音化、大風量化も必須となっている。
【０００３】
従来、室外ユニットの送風機には、低騒音化、大風量化の観点から軸流式、あるいは斜流式の送風機が用いられてきたが、室外ユニットとして低騒音を維持しつつ、送風機の送風性能をさらに向上することが求められている。
【０００４】
このような送風機を低騒音化、大風量化する技術として、プロペラファン（送風機）の下流側に、空気流の有する動圧エネルギーを静圧エネルギーに変換して回収する静圧回収ベーン（静翼）を備えたものがある（例えば、特許文献１参照）。
【０００５】
図９は、特許文献１に記載された従来の室外ユニットを示すものである。図９において、室外ユニット１０１は、プロペラファン１０５、プロペラファン１０５の外周に設けられたマウスリング１０６、プロペラファン１０５の吐出側で、マウスリング１０６の内側に設けられた静圧回収ベーン１０７を備えている。
【０００６】
マウスリング１０６は、プロペラファン１０５の後縁側に位置して吹き出される空気流を案内するものであり、このマウスリング１０６の後部には前部より大径の拡大吹き出し口１０６Ａが形成されている。静圧回収ベーン１０７はプロペラファン１０５の後縁より下流側に位置している。また、静圧回収ベーン１０７の翼弦長は中央部から外周に向かうにしたがって大きくなるように形成されている。
【０００７】
以上のように構成された室外ユニットでは、静圧回収ベーン１０７が周方向のエネルギー損失となる旋回流を静圧として回収することで、軸流風量を増加することができる。また、静圧回収ベーン１０７により、プロペラファン１０５からの旋回流を減速することができるため、騒音を低減できる。
【先行技術文献】
【特許文献】
【０００８】
【特許文献１】特開２０００−１３０７９９号公報
【発明の概要】
【発明が解決しようとする課題】
【０００９】
しかしながら、従来の室外ユニットなどに用いられる送風機の回転羽根（動翼）では、固定羽根の取付角や形状によっては、固定羽根の前縁あるいは後縁などに、水平部が存在することになる。このような水平部が存在すると以下のような課題があった。
【００１０】
固定羽根を備えた送風機を、屋外や冷凍倉庫内などに設置した場合、例えば、厳冬期などの氷点下以下の周囲温度となる条件において、送風機やその周辺部材の上部に積もった雪や霜が日射などで解けると、雪解け水として水滴が固定羽根に伝わってくることがある
。そして、この水滴が固定羽根の水平部にたまり、水が再氷結して氷柱に成長することがある。氷柱の成長が固定羽根の前縁から風上側に向かった場合、動翼と干渉して、異常音を生じたり、動翼が停止したり破損するという課題を有していた。このような課題は、室外ユニットなどの屋外等に設置される機器に送風機を設けた場合に、特に問題となる。
【００１１】
本発明は、上記従来の課題を解決するもので、空気調和機やヒートポンプ給湯機の室外ユニットなどに用いられる軸流式、あるいは斜流式の送風機において、氷の発生や成長による異常音の発生や、動翼の停止、破損を防止することを目的とするものである。また、送風機を搭載した室外ユニットにおいて、氷の発生や成長による異常音の発生や、動翼の停止、破損を防ぐものである。
【課題を解決するための手段】
【００１２】
上記従来の課題を解決するために、本発明の送風機は、動翼と、静翼とを備え、静翼は、前縁が後縁より下方に位置する領域に設けた固定羽根どうしの間隔が、前縁が後縁より上方に位置する領域に設けた固定羽根どうしの間隔より大きいものである。
【００１３】
かかる構成とすることにより、水滴が溜まりやすく、氷の発生や成長の起点となる水平部を減らすことができ、氷の発生や成長による異常音の発生や、動翼の停止、破損を生じることなく、効率良く旋回方向成分を静圧に回収できる。
【発明の効果】
【００１４】
本発明の送風機は、氷の発生や成長を防止できる。また、本発明の送風機を搭載した室外ユニットは、氷の発生や成長による異常音の発生や、動翼の停止、破損を生じることがない。
【図面の簡単な説明】
【００１５】
【図１】本発明の実施の形態１における送風機の子午断面図
【図２】同実施の形態における送風機の吐出側からみた正面図
【図３】図１のａ）Ａ−Ａ断面、ｂ）Ｂ−Ｂ断面、ｃ）Ｃ−Ｃ断面での動翼からの吐    出気流と静翼の取付角との関係を示す図
【図４】同実施の形態における固定羽根の半径方向位置と羽根取付角との関係を示す図
【図５】同実施の形態における固定羽根と支持枠との接続部の要部斜視図
【図６】比較のための送風機の吐出側からみた正面図
【図７】同実施の形態における送風機を搭載した室外ユニットの横断面図
【図８】本発明の実施の形態２における送風機の吐出側からみた正面図
【図９】従来の空気調和機の室外ユニットの縦断面図
【発明を実施するための形態】
【００１６】
第１の発明は、回転軸を有する回転ハブと回転ハブの周囲に設けられた複数の回転羽根とを有する動翼と、前記動翼の吐出側に設けられ、固定ハブと固定ハブの周囲に設けられた複数の固定羽根とを有する静翼とを備え、前記静翼は、前記固定羽根の前縁が後縁より下方に位置する領域に設けた固定羽根どうしの間隔が、前記固定羽根の前縁が後縁より上方に位置する領域に設けた固定羽根どうしの間隔より大きいものである。
【００１７】
かかる構成とすることにより、動翼の方向に水が流れる領域の固定羽根から、水滴がたまりやすい箇所を減らすことができる。これにより、送風機やその周辺部材の上部に積もった雪や霜が日射などで解けて、固定羽根に伝わり、この雪解け水が再氷結して氷柱が成長するような条件下において、固定羽根にたまった水滴から氷柱が固定羽根の風上側に向かって成長することを防止できる。このため、氷柱が、動翼と干渉して、異常音を生じた
り、動翼が停止したり破損することを防止できる。
【００１８】
第２の発明は、回転軸を有する回転ハブと回転ハブの周囲に設けられた複数の回転羽根とを有する動翼と、前記動翼の吐出側に設けられ、固定ハブと固定ハブの周囲に設けられた複数の固定羽根とを有する静翼とを備え、前記固定羽根の前縁が後縁より下方に位置する領域に設けた少なくとも１枚の固定羽根の形状は、前記固定羽根の前縁が後縁より上方に位置する領域に設けた固定羽根の形状と異なるものであって、当該固定羽根の中央部から外周端までに水平部を設けないものである。
【００１９】
かかる構成とすることにより、動翼の方向に水が流れる領域の固定羽根から、水滴がたまりやすい水平部を減らすことができる。これにより、送風機やその周辺部材の上部に積もった雪や霜が日射などで解けて、固定羽根に伝わり、この雪解け水が再氷結して氷柱が成長するような条件下において、固定羽根にたまった水滴から氷柱が固定羽根の風上側に向かって成長することを防止できる。このため、氷柱が、動翼と干渉して、異常音を生じたり、動翼が停止したり破損することを防止できる。
【００２０】
第３の発明は、第１または第２の発明において、複数の固定羽根は、前縁または後縁の少なくとも一方が曲線状に形成されるとともに、複数の固定羽根のうち、前縁が後縁より下方にあり、外周端の少なくとも一部が固定ハブ側端より下方にある固定羽根は、当該固定羽根の外周端を当該固定羽根の中央部より下方に設けたものである。
【００２１】
かかる構成とすることにより、固定羽根に水滴がたまりやすい水平部をなくすことができる。
【００２２】
第４の発明は、第１または第２の発明において、複数の固定羽根のうち、前縁が後縁より下方にある固定羽根を前縁が後縁より上方にある固定羽根と同じ形状で構成すると、固定羽根の中央部の少なくとも一部が当該固定羽根の外周端より下方に位置することになる固定羽根を備えていないものである。
【００２３】
かかる構成とすることにより、静翼の枚数減少を最小限として、静翼の効果を最大に維持しながら、固定羽根に水滴がたまることを防止できる。
【００２４】
第５の発明は、第２の発明において、水平部を設けない固定羽根は、複数の固定羽根のうち、前縁が後縁より下方にある固定羽根を前縁が後縁より上方にある固定羽根と同じ形状で構成すると、固定羽根の中央部の少なくとも一部が当該固定羽根の外周端より下方に位置することになる固定羽根であるものである。
【００２５】
かかる構成とすることにより、形状が異なる固定羽根の枚数を最小限として、静翼の効果を最大に維持しながら、固定羽根に水滴がたまることを防止できる。
【００２６】
第６の発明は、第２の発明において、水平部を設けない固定羽根の取付角は、他の固定羽根の取付角と同じであるものである。
【００２７】
かかる構成とすることにより、固定羽根の形状変更に伴う性能低下を最小限にとどめながら、固定羽根に水滴がたまることを防止できる。
【００２８】
第７の発明は、第１〜６のいずれか１つの発明の送風機を搭載した室外ユニットである。かかる構成とすることにより、室外ユニットの上部に積もった雪や霜が日射などで解けて、送風機の固定羽根に伝わり、この雪解け水が再氷結して氷柱が成長するような条件下において、動翼の方向に水が流れる領域の固定羽根に水滴がたまることを防止できる。こ
れによって、そこから氷柱が固定羽根の風上側に向かって成長し、動翼と干渉して、異常音を生じたり、動翼が停止したり破損することを防止できる。
【００２９】
以下、本発明の実施の形態について、図面を参照しながら説明する。なお、この実施の形態によってこの発明が限定されるものではない。
（実施の形態１）
図１は、本発明の実施の形態１における送風機の子午断面図である。ここで、子午断面図とは、動翼の回転軸、または、静翼の中心軸を含む平面に動翼の回転羽根、静翼の固定羽根を回転投影した断面図である。また、図２は本発明実施の形態における送風機の吐出側からみた正面図である。
【００３０】
図１、図２に示すように、送風機１は、回転軸２に取り付けられた回転ハブ３と、回転ハブ３の周囲に設けられた２枚の回転羽根４を有する動翼５を備えている。動翼５の吐出側（下流側）には、固定ハブ６と、固定ハブ６の周囲に設けられた１１枚の固定羽根７とを有する静翼８が設けられている。動翼５の吐出側の外周、および、静翼８の吸入側（上流側）の外周にあたる位置には、動翼５と静翼８とに所定の隙間を保ち、オリフィス９が設けられている。
【００３１】
このような送風機１は、回転軸２が地面に対して平行となるように設置されて使用される。
【００３２】
図２に示すように、静翼８は、動翼５の回転方向において、固定羽根７の前縁７１が固定羽根７の後縁７２より上流側となるように構成されている。このため、送風機１を吐出側から見た場合には、固定ハブ６より右側の領域では、固定羽根７の前縁７１が後縁７２より上方に位置することとなり、固定ハブ６より左側の領域では、前縁７１が後縁７２より下方に位置することとなる。つまり、固定ハブ６より右側の領域では、固定羽根７は風上側から風下側に向かって下り傾斜となり、固定ハブ６より左側の領域では、固定羽根７は風上側から風下側に向かって上り傾斜となる。
【００３３】
また、回転軸２より略下側の領域では、前縁７１または後縁７２の外周端７ｂが、同じ固定羽根７の固定ハブ側端７ａより下方に位置することとなる。なお、後述するように、固定羽根７の外周端７ｂは、固定ハブ側端７ａより動翼５の反回転方向に位置する（オフセットする）ように設けられている。このため、前縁７１または後縁７２の外周端７ｂが、同じ固定羽根７の固定ハブ側端７ａより下方に位置する領域は、回転軸２の高さに外周端７ｂをオフセットさせた距離を加えた高さより下側となる。
【００３４】
図２に示すように、静翼８の１１枚の固定羽根７は、すべて同じ形状で構成されている。しかし、動翼５の回転方向が時計回りとなる方向から見て固定ハブ６より左側の領域では、固定羽根７どうしの間隔（ピッチ）が、固定ハブ６より右側の領域より大きくなっている。
【００３５】
より詳細には、静翼８は、動翼５の回転方向が時計回りとなる方向から見て固定ハブ６より左側で上下方向の中央にあたる領域（図２中の破線で囲った領域Ｘ１）では、固定羽根７どうしの間隔（ピッチ）が大きく、その他の領域では、等しい間隔（等ピッチ）となるように、１１枚の固定羽根７を備えている。
【００３６】
領域Ｘ１に近接する固定羽根７のピッチは、その他の領域での固定羽根７のピッチの３倍となっている。つまり、仮に、領域Ｘ１以外の領域に設けられた固定羽根７と等ピッチで、領域Ｘ１に固定羽根７を配置すると、領域Ｘ１には２枚の固定羽根７が配置されることとなる。
【００３７】
固定羽根７の前縁（吸入側の縁）７１は、固定ハブ６側の端である固定ハブ側端７ａから外周側の端である外周端７ｂまでが直線状に構成されている。また、後縁（吐出側の縁）７２は、固定ハブ側端７ａから外周端７ｂまでが曲線状に構成されている。そして、後縁７２は、前縁７１の方向に中央部が凹むような曲線状となっている。
【００３８】
静翼８は、複数の固定羽根７のうち、前縁７１が後縁７２より下方にあり、外周端７ｂの少なくとも一部が固定ハブ側端７ａより下方にある領域（図２中の破線で囲った領域Ｘ２）に位置することとなる固定羽根７は、固定羽根７の外周端７ｂが同じ固定羽根７の中央部７ｍより下方に設けられている。
【００３９】
つまり、複数の固定羽根７のうち、前縁７１が後縁７２より下方にあり、外周端７ｂの少なくとも一部が固定ハブ側端７ａより下方にある領域（図２の領域Ｘ２）に位置することとなる固定羽根７は、前縁７１または後縁７２に地面に対して水平となる部分（水平部）を備えていない。
【００４０】
また、以上を換言すると、静翼８は、仮に、領域Ｘ１以外の領域に設けられた固定羽根７と等ピッチで、領域Ｘ１に固定羽根７を配置すると、固定羽根７の中央部７ｍの少なくとも一部が同じ固定羽根７の外周端７ｂより下方に位置することになる固定羽根７を除いた状態となるように構成されている。
【００４１】
回転軸２は、動翼５の吸入側に設けられ、動翼５を回転駆動するモータ１０の駆動軸に連結されている。モータ１０とオリフィス９とがともに筐体（図示せず）に支持されることで、動翼５とオリフィス９との相対的な位置が調整され、保持されている。また、固定羽根７は、支持枠１１を介して筐体に支持されることで、静翼８とオリフィス９との相対的な位置が調整され、保持されている。支持枠１１は、静翼８の外周側に設けられた略環状の部材であり、静翼８と一体に形成されている。
【００４２】
動翼５の回転ハブ３は、円筒形状、または、吐出側に向かって径が拡大する円錐台形状である。回転ハブ３の軸方向長さは、回転羽根４の中央部での子午面高さ（動翼５の回転軸２を含む平面に動翼５の回転羽根４を回転投影した場合の軸方向長さ）ｈ１より短くなるように構成されている。
【００４３】
静翼８の固定ハブ６は、円筒形状であり、その外径は回転ハブ３の吐出側の端面での径（つまり、回転ハブ３のうち最大の径）と同じ径である。また、固定ハブ６の軸方向長さは回転ハブ３より短い。また、固定ハブ６の軸方向長さは、固定羽根７の子午面高さ（静翼８の中心軸を含む平面に静翼８の固定羽根７を回転投影した場合の軸方向長さ）ｈ２と略同一である。
【００４４】
静翼８の外径は、動翼５の外径より大きい、つまり、固定羽根７の半径方向長さは、回転羽根４の半径方向長さより長くなるように構成されている。
【００４５】
オリフィス９は、最小径部９ｘを備えている。最小径部９ｘでは、動翼５の回転羽根４の外周端との隙間が最小となる。なお、図１では、最小径部９ｘは、一定の径で軸方向に延設された直線部を備えた円筒面で構成されているが、直線部を備えない一定の径の円周として構成されていてもよい。オリフィス９は、最小径部９ｘから吐出側にかけて径が拡大し、吐出側の端部に吐出側開口部９ｙが形成されている。また、オリフィス９は、最小径部９ｘから吸入側にかけても径が拡大し、吸入側の端部に吸入側開口部９ｚが形成されている。
【００４６】
動翼５は、回転羽根４の後縁（吐出側の縁）の外周端が、オリフィス９の最小径部９ｘと対向するように、軸方向の位置が調整されている。また、動翼５は、回転ハブ３の吐出側の端部が、オリフィス９の最小径部９ｘと対向するように、または、オリフィス９の最小径部９ｘと吐出側開口部９ｙの間に位置するように、軸方向の位置が調整されている。
【００４７】
静翼８は、固定羽根７の前縁７１の外周端が、オリフィス９の最小径部９ｘと吐出側開口部９ｙの間に位置するように、軸方向の位置が調整されている。また、静翼８は、固定羽根７の前縁側の外周端とオリフィス９との間に所定の隙間Ｓを形成するように設けられている。静翼８の外径が動翼５の外径より大きく、かつ、オリフィス９が吐出側にむかって径が拡大することによって、隙間Ｓは、動翼５の回転羽根４の後縁の外周端とオリフィス９の最小径部９ｘとの隙間と略同一となる。また、静翼８は、固定ハブ６の吸入側の端部が、オリフィス９の最小径部９ｘと吐出側開口部９ｙの間に位置するように、軸方向の位置が調整されている。
【００４８】
ここで、静翼８の固定羽根７の形状について詳しく説明する。図１に示すように、固定羽根７の子午面における高さ（子午面高さ）ｈ２は、固定ハブ６側の端（固定ハブ側端）７ａから外周端７ｂまで略一定となるように構成されている。また、図２に示すように、動翼５の回転軸２と垂直な面において、固定羽根７の前縁７１は、外周端７ｂが固定ハブ側端７ａに対して動翼５の回転羽根４の反回転方向に位置するように、傾斜して設けられている。
【００４９】
図３は、ａ）ハブ側（図１中のＡ−Ａ断面）、ｂ）外周側（図１中のＢ−Ｂ断面）、ｃ）外周端（図１中のＣ−Ｃ断面）の同一半径位置における断面での回転羽根４と固定羽根７の断面形状、および、動翼５から吐出される空気流と固定羽根７の羽根取付角の関係を示す図である。図４は、固定羽根７の半径方向位置と羽根取付角との関係を示す図である。
【００５０】
図３に示すように、回転羽根４は、動翼５の反回転方向に凸となる円弧状、または、翼状の断面を有しており、後縁が吐出側に位置するように回転軸２に対して傾斜して、回転ハブ３に固定されている。固定羽根７は、動翼５の回転方向に凸となる円弧状、または、翼状の断面を有しており、前縁が吸入側に位置するように、固定ハブ６の中心軸に垂直な面に対して傾斜する羽根取付角θを有して、固定ハブ６に固定されている。ここで、羽根取付角θは、固定羽根７の前縁７１と後縁７２を結ぶ直線と、固定ハブ６の中心軸に垂直な水平面とが成す角度であり、固定ハブ６の中心軸に垂直な水平面から吸入側、または、動翼５の反回転方向側にいくほど大きくなる角度である。
【００５１】
そして、固定羽根７の羽根取付角θは、固定羽根７の半径方向の位置によって異なるように構成されている。
【００５２】
図３、図４に示すように、固定羽根７と固定ハブ６との接する端（固定ハブ側端７ａ）では、羽根取付角θａは最小となる。そして、固定羽根７の半径方向の外周側にいくにしたがって、羽根取付角θは拡大し、固定羽根７の中央部７ｍでは、羽根取付角θｍとなる。中央部７ｍよりさらに外周側にいくにしたがい、羽根取付角θはさらに拡大し、中央部７ｍと固定羽根７の外周端７ｂとの間で最大（羽根取付角θｂ）となる。羽根取付角θｂとなる位置よりさらに外周側では、羽根取付角θは徐々に小さくなり固定羽根７の外周端７ｂで羽根取付角θｃとなる。羽根取付角θｃは、固定ハブ側端７ａでの羽根取付角θａより大きく、中央部７ｍでの羽根取付角θｍより小さくなる。
【００５３】
つまり、中央部７ｍより外周側での羽根取付角θｂｃは、中央部７ｍより固定ハブ６側の羽根取付角θａｂに比べて大きくなる。また、中央部７ｍより外周側で、羽根取付角θ
ｂが最大となる。
【００５４】
そして、固定羽根７の子午面高さは、半径方向の位置によらず略一定であり、固定羽根７の羽根取付角θは、半径方向の位置によって異なることから、固定羽根７は、固定ハブ６と接する固定ハブ側端７ａで、最も円弧の曲率が小さくなり、中央部７ｍと外周端７ｂとの間で円弧の曲率が最大となる。また、外周端７ｂでの円弧の曲率は、固定ハブ側端７ａでの円弧の曲率より大きく、中央部７ｍでの円弧の曲率より小さくなる。また、中央部７ｍより外周側での円弧の曲率は、中央部７ｍより固定ハブ６側での円弧の曲率に比べて大きくなる。
【００５５】
次に、静翼８の固定羽根７と支持枠１１との接続部の形状について詳しく説明する。図５は、静翼８の固定羽根７と支持枠１１との接続部を固定羽根７の後縁側からみた要部斜視図である。図５に示すように、固定羽根７の外周端７ｂには、固定羽根７の後縁側のみに固定羽根７を半径方向に延長した板状の延長部１２が設けられている。延長部１２の一面（固定羽根７において凹となる側の面）は、固定羽根７の円弧の凹側と同じ曲率で形成されている一方、裏面は固定ハブ６の中心軸と平行となる面で形成されている。このため、延長部１２の厚みは、後縁側では固定羽根７の厚みと同一であるが、前縁側にいくほど厚くなるように形成されている。また、延長部１２の中心軸方向の長さ（子午断面高さ）は、後述する脚部１３の中心軸方向の長さより短くなるように形成されている。また、延長部１２の子午断面高さは、半径方向の位置によらず略一定となるように形成されている。
【００５６】
一方、支持枠１１には、吐出側に突出する脚部１３が設けられている。脚部１３は、両面が固定ハブ６の中心軸と平行となる面で形成された板状の部材であり、脚部１３の厚みは、固定羽根７の厚みと同一である。また、脚部１３の中心軸方向の長さは、固定羽根７の子午面高さｈ２より短くなるように形成されている。また、脚部１３は、オリフィス９の吐出側開口部９ｙより外周側となる半径方向の位置で、固定羽根７を支持するように設けられている。
【００５７】
そして、延長部１２の外周側端部と脚部１３の固定ハブ６側端部とを接合させることにより、固定羽根７の前縁側は支持枠１１との間に所定の隙間Ｔを形成して、支持枠１１に支持される。なお、固定羽根７、延長部１２、脚部１３、支持枠１１は一体に形成されることが、強度を確保する上で望ましい。
【００５８】
また、図５に示すように、脚部１３の吹出側の端部１３ｅは、延長部１２の吹出側の端部１２ｅ、固定羽根７の後縁７２と同一面に位置するように接合される。このため、固定羽根７の前縁７１は、支持枠１１より吸入側に突出するようになる。また、固定羽根７の後縁は、支持枠１１より吐出側に突出するようになる。
【００５９】
なお、図２に示すように、延長部１２が固定羽根７と支持枠１１との接続する長さ（延長部１２の半径方向長さ）は、固定羽根７が取り付けられる位置によって異なっている。重力方向の上下左右に位置する固定羽根７の延長部１２は短く、その他に位置する固定羽根７の延長部は長くなっている。これによれば、静翼８を支持枠１１に保持する十分な強度の確保が容易となる。
【００６０】
以上のように構成された送風機について、以下その動作、作用を説明する。
【００６１】
まず、モータ１０により回転軸２を回転駆動させると、図２に示すように動翼５が反時計方向に回転し、モータ１０が配置された側から空気が動翼５に導かれる。その際、複数の回転羽根４と、回転羽根４の周囲に設けられたオリフィス９とにより、空気に動圧と静
圧が付加される。
【００６２】
そして、動翼５から吐出された空気（吐出気流）は、静翼８に導かれる。図３に示すように、静翼８に導かれる空気の流入速度Ｖは、回転軸２の軸方向に対して角度を有しており、軸方向に流れる軸流方向成分Ｖａと、動翼５の回転方向に流れる旋回方向成分Ｖｔとを有している。軸流方向成分Ｖａは風量に関わる速度であるが、旋回方向成分Ｖｔは軸方向に対して直角、すなわち周方向成分であるために、風量には関係せず、単に空気を掻き回すだけであり、軸方向にスムーズに転向させないと損失エネルギーとなる。
【００６３】
そこで、複数の固定羽根７を有する静翼８により、動翼５の吐出気流の旋回方向成分を小さくし、エネルギー損失となる旋回方向成分（旋回流）を静圧として回収することで、静圧効率を向上させつつ送風作用を成す。
【００６４】
ここで、回転羽根４の中央部より外周側に主流が集中する動翼５の吐出気流に合わせて、固定羽根７の羽根取付角は、中央部７ｍより固定ハブ６側の羽根取付角θａに比べて、中央部７ｍより外周側の羽根取付角θｂを大きくしている。このため、中央部７ｍより固定ハブ６側の領域に比べて、静翼８の入口での旋回方向成分が大きい中央部７ｍより外周側の領域で、固定羽根７の入口での衝突損失を小さく抑えて、効率良く旋回速度成分を静圧に回収できる。
【００６５】
また、動翼５を、軸流式、あるいは斜流式とし、動翼５の回転羽根４の吐出側のみをオリフィス９で囲う構成とした場合には、回転羽根４の外周に大きな翼端渦が発生し、動翼５の外周側の吐出気流速度は大きく低下する。特に、翼端渦に影響され、オリフィス９と回転羽根４との隙間から吸込側に逆流する漏れ流れが生じると、吐出気流の軸方向成分の低下が非常に大きくなる。しかし、本実施の形態では、それに合わせて、中央部７ｍと外周端７ｂとの間で羽根取付角度が最大となるようにし、固定羽根７の外周端７ｂでの羽根取付角θｃが、中央部７ｍでの羽根取付角θｍより小さくなるようにしているので、静翼８の固定羽根７の外周端７ｂにおける固定羽根７の入口での衝突損失を小さく抑えることができる。
【００６６】
このため、固定羽根７の中央部７ｍから外周側で、効率良く旋回速度成分を静圧に回収できるとともに、動翼５の回転羽根４の漏れ流れや翼端渦の影響を受けやすい固定羽根７の外周端７ｂでも、効率良く旋回速度成分を静圧に回収できる。
【００６７】
固定羽根７の固定ハブ側端７ａから外周側の羽根取付角θが最大となる部分にかけての領域では、固定羽根７の羽根取付角θ、特に入口角が、動翼５の吐出気流角度に一致するので、固定羽根７の子午面高さｈ２を高くして翼弦長を長くしなくても、動翼５の吐出気流の旋回速度成分を効率よく静圧に変換できる。
【００６８】
また、固定羽根７の外周側ほど翼弦長を伸ばさず抑えることができ、固定羽根７の表面摩擦損失及び後流のウエイク幅の増加による損失の増加を抑えることができる。
【００６９】
また、固定羽根７の外周端７ｂでの羽根取付角が、中央部７ｍから外周側の領域での羽根取付角より小さいと、動翼５とオリフィス９との間の漏れ流れや、動翼５の翼端に発生する翼端渦により、動翼５の外周端からの吐出気流の角度が大きく変動する影響を受けやすくなる。しかし、本実施の形態では、固定羽根７の子午面高さｈ２が、固定ハブ側端７ａから外周端７ｂまで略一定となるように設けられていることにより、固定羽根７の外周端７ｂ近傍でも、子午面高さを伸ばさず抑えることができる。このため、静翼８の固定羽根７の外周端７ｂの翼弦長が大きい場合に影響が大きくなる流れの変動を極力抑え、乱れによる損失が増加を抑えつつ、固定羽根７の外周端７ｂでの吐出気流の旋回速度成分を、
効率よく静圧に回収することができる。
【００７０】
また、固定羽根７を、動翼５の回転軸２と垂直な平面において、外周側がハブ側に対して、動翼５の反回転方向に傾斜するように設けたことにより、動翼５からの吐出気流が、固定羽根７の半径方向の位置によって異なるタイミングで通過するため、固定羽根７を吐出気流が通過する際に発生する騒音をずらすことができ、静翼８を通過する際に発生する騒音の大きさを小さくすることができる。
【００７１】
また、動翼５の回転羽根４の外周端とオリフィス９との間の所定の隙間が、最小径部９ｘから吐出側開口部９ｙに向かって拡大するとともに、静翼８の固定羽根７の前縁７１の外周端の軸方向位置を、オリフィス９の最小径部９ｘと吐出側開口部９ｙとの間に位置するように設けることで、動翼５の外周側から外周端にかかる領域での旋回方向成分の大きい吐出気流を、吐出側開口部９ｙに向かうにしたがって半径方向に広がる流れ（半径方向成分を有する流れ）に移行する前に、固定羽根７の翼間に流入させることができる。このため、旋回方向成分の大きい吐出気流を、強制的に軸方向成分に変換でき、効率的に静圧として回収できる。
【００７２】
また、静翼８の固定羽根７の外周端７ｂ近傍の旋回方向成分の強い流れをすべて強制的に軸方向成分に変換しようとすると、固定羽根７の外周端７ｂ付近の後縁側の流れと静翼８の外周側からの流れとの間に縮流が起き、固定羽根７の外周端７ｂ付近の後縁側で、静圧に変換されない流れが発生する。しかし、本実施の形態では、静翼８の固定羽根７の前縁側の外周端とオリフィス９との間に所定の隙間Ｓを設けているので、前縁の圧力面側から負圧面側に意図的に僅かに漏れ流れを発生させることができる。これによって、外周端７ｂの後縁側で縮流が生じにくくなり、効率的に静圧として回収できる。また、隙間Ｓでの圧力面側から負圧側への僅かな漏れ流れは、オリフィス９の吐出側の拡大する吐出側開口部９ｙに沿ってスムーズに減速させることができるので、流動損失が増加することもない。
【００７３】
また、回転羽根４の外周端付近に発生する翼端渦が下流側に流れて、固定羽根７の外周側から延長部１２に衝突する際に乱れが生じる。しかし、本実施の形態では、静翼８は、固定羽根７の外周端７ｂの後縁側のみが延長された延長部１２によって支持枠１１に固定されており、固定羽根７の前縁側は支持枠１１に固定されていない。つまり、延長部１２を固定羽根７の後縁側に位置させている。このため、固定羽根７の前縁側では延長部１２での気流の乱れを小さくできる。
【００７４】
また、上述したオリフィス９との固定羽根７の作用と同様に、静翼８の固定羽根７の前縁側の外周端と支持枠１１との間に所定の隙間Ｔを設けているので、前縁の圧力面側から負圧面側に意図的に僅かに漏れ流れを発生させることができる。これによって、外周端７ｂの後縁側で縮流が生じにくくなり、効率的に静圧として回収できる。また、隙間Ｔでの圧力面側から負圧側への僅かな漏れ流れは、オリフィス９の吐出側の拡大する吐出側開口部９ｙに沿ってスムーズに減速させることができるので、流動損失が増加することもない。
【００７５】
また、延長部１２の一面は、固定羽根７の円弧の凹部と同じ曲率で形成されているため、固定羽根７の後縁側での流れを極力乱すことがなく、効率良く静圧を回収できる。
【００７６】
また、静翼８は、固定羽根７の前縁７１が後縁７２より下方に位置する領域（図２において固定ハブ６より左側の領域）での固定羽根７のピッチが、固定羽根７の前縁７１が後縁７２より上方に位置する領域（図２において固定ハブ６より右側の領域）での固定羽根７のピッチより大きくなっている。
【００７７】
このため、動翼５の方向に水が流れるように固定羽根７が設けられる領域で、固定羽根７が水平となる部分が生じることを低減できる。これにより、送風機１やその周辺部材の上部に積もった雪などが解けて、固定羽根７の水平部にたまった水が氷柱として動翼５側に成長することを防止できる。このため、氷柱が動翼と干渉して、異常音を生じたり、動翼が停止したり破損するということがない。
【００７８】
さらに、複数の固定羽根７のうち、前縁７１が後縁７２より下方にあり、外周端７ｂの少なくとも一部が固定ハブ側端７ａより下方にある固定羽根７は、固定羽根７の外周端７ｂが同じ固定羽根７の中央部７ｍより下方に設けられている。あるいは、そのような固定羽根７のうち、中央部７ｍの少なくとも一部が同じ固定羽根７の外周端７ｂより下方に位置することになる固定羽根を設けないようにしている。
【００７９】
このため、前縁７１が後縁７２より下方にあり、外周端７ｂの少なくとも一部が固定ハブ側端７ａより下方にある固定羽根７は、前縁７１または後縁７２に水平部を有することがない。これにより、送風機１やその周辺部材の上部に積もった雪などが解けて、固定羽根７の水平部にたまり、氷柱が発生したりや成長したりすることを防止できる。
【００８０】
この点について、図６を用いてさらに詳しく説明する。図６は、本実施の形態と比較するために、領域Ｘ１にも他の領域に配置された固定羽根７と同じ径状の固定羽根７を配置して構成した送風機である。
【００８１】
動翼２０５の回転方向が吐出側から見て時計回りとなる図６の送風機の場合には、静翼の固定羽根２０７のうち、固定ハブ２０６より右側にあるものは、風上側から風下側に向かって下り傾斜になり、上方から水滴が落ちてきても動翼２０５の方向には流れ落ちない。しかし、左側にあるものは、風上側から風下側に向かって上り傾斜になるので、上方から落ちてきた水滴が動翼２０５の方向に流れ落ちる可能性がある。
【００８２】
そして、この上方から落ちてきた水滴が雪解け水であった場合などには、固定羽根７の上を風上側、つまり、動翼２０５方向に流れ落ちるだけでなく氷柱として成長し、動翼２０５と干渉して、異常音を生じたり、動翼５が停止したり破損する可能性がある。
【００８３】
図６において、上方から落ちてきた水滴のうち、動翼２０５の方向に流れ落ちるのは、固定羽根７の左右方向（外周端７ｂ方向または固定ハブ側端７ａ方向）に流れにくくなった水滴である。このような水滴は、固定羽根７の前縁７１が水平となる部分（前縁水平部７１ｆ）または後縁７２が水平となる部分（後縁水平部７２ｆ）で顕著に生じることとなる。
【００８４】
そして、このような水平部は、固定羽根７の前縁７１または後縁７２の全体が、水平になっているか、吐出側から見て曲線状をなしている場合に生じやすい。特に、固定羽根７の前縁７１または後縁７２が吐出側から見て曲線状をなすのは、前述のように固定羽根７の羽根取付角θが、固定羽根７の半径方向の位置によって異なるように構成されている場合に生じやすい。
【００８５】
しかし、本実施の形態では、図２に示すように、固定羽根７の前縁７１が後縁７２より下方に位置する領域での固定羽根７のピッチが大きいので、図６の構成の静翼に比べて、動翼５の方向に水が流れやすい状態に設けられた固定羽根７に、水平となる部分をもつことを低減できる。
【００８６】
そして、固定ハブ６より左側にある固定羽根７の前縁７１または後縁７２が水平部を持
たないので、水滴は停滞せずに左右方向に流れるため、動翼５に向かう氷柱は成長しない。
【００８７】
特に、固定羽根７は、前縁７１が曲線状に形成されるとともに、前縁７１が後縁７２より下方にあり、外周端７ｂの少なくとも一部が固定ハブ側端７ａより下方にある固定羽根（図２の領域Ｘ２に配置される固定羽根）は、固定羽根の外周端７ｂが中央部７ｍより下方に設けられているので、水滴がたまりやすい水平部をなくすことができる。
【００８８】
また、図６の構成の静翼から、固定ハブ２０６より左側にあって、前縁水平部７１ｆまたは後縁水平部７２ｆがある２枚の固定羽根７を除き、図２のように、１１枚の固定羽根７として構成した静翼８においては、動翼５の方向に氷柱が成長し、動翼５と干渉して、異常音を生じたり、動翼５が停止したり破損することがない。さらに、静翼８が備える固定羽根の枚数の減少を最小限として、静翼８の静圧を回収する効果を最大に維持できる。
【００８９】
さらに、本実施の形態では、静翼８を、オリフィス９を保持する筐体に、支持することによる流れの損失を小さくできるので、静翼８での静圧回収の効率低下を極力抑えることができる。
【００９０】
また、延長部１２の厚みは、後縁側では固定羽根７の厚みと同一で、前縁側にいくほど厚くなっているので、延長部１２の前縁側で気流方向が大きく変動する流れの方向に合わせることが可能となり、延長部１２の下流側にできる剥離による流動損失抑え、固定羽根７を保持するのに必要な強度も確保できる。
【００９１】
また、固定羽根７は、オリフィス９の吐出側開口部９ｙより外周側となる半径方向の位置で支持されているため、脚部１３をオリフィス９の吐出側開口部９ｙに沿って流れる気流の外側に設けることでき、オリフィス９の吐出側の抵抗を低減できる。
【００９２】
また、固定羽根７は、固定羽根７の後端が支持枠１１より吹出側に突出するように、支持されているため、脚部１３をオリフィス９の吐出側開口部９ｙに沿って流れる気流の外側に設けることでき、オリフィス９の吐出側の抵抗を低減できる。
【００９３】
また、領域Ｘ１には、固定羽根７を設けないだけでなく、延長部１２や脚部１３も設けていないので、延長部１２や脚部１３の水平となる部分に、水滴がたまり、氷の発生や成長の起点となることもない。
【００９４】
なお、本実施の形態では、図６の構成の静翼から固定羽根７を２枚は取り除き、固定ハブ６より左側の領域での固定羽根７のピッチを不等にすることで、ピッチを大きくしているが、これに限ることなく、固定ハブ６より左側の領域のピッチが、固定ハブ６より右側の領域より大きくなっていれば、固定ハブ６より左側の領域も等ピッチとすることもできる。なお、固定ハブ６より左側の領域も等ピッチとした場合には、静翼８全体を若干回転させて、水平部が生じないような固定羽根の配置となるように設計することが望ましい。
【００９５】
また、本実施の形態では、固定羽根７の前縁７１を直線状とし、後縁７２を曲線状とするとしたが、水滴がたまりやすい箇所を設けないという観点では、前縁７１を曲線状とし、後縁７２は直線状にしてもよい。
【００９６】
以下、上記の送風機が搭載された室外ユニットについて説明する。図７は、本実施の形態の送風機を搭載した室外ユニットの横断面図である。
【００９７】
図７に示すように、室外ユニットは、外殻を構成する筐体２１に、圧縮機２２、室外熱
交換器２３などを備えている。モータ１０が、筐体２１の底部に固定された柱上のモータ固定具２４を介して、筐体２１に固定されることで、送風機１は、オリフィス９の吐出側開口部９ｙが筐体２１の正面部２１ａに一致するように、筐体２１に固定されている。さらに、支持枠１１は、筐体２１の正面部２１ａに固定されることで、送風機１は、筐体２１に固定されている。
【００９８】
さらに、筐体２１の正面部２１ａには、正面部２１ａから前面（吐出側）に突出する静翼８を覆うように、吹出グリル２５が設けられている。吹出グリル２５は、支持枠１１よりさらに外周側となる位置で支持されている。
【００９９】
このような室外ユニットは、室内熱交換器を備えた空気調和機の室内ユニットや、ヒートポンプ式給湯機のユニットと接続されることで、冷凍サイクルを構成する。そして、室外ユニットの周囲の空気を、送風機１により室外熱交換器２３に送風することで、圧縮機２２の動作により室外熱交換器２３の伝熱管内を流動する冷媒と熱交換させる。
【０１００】
以上のように構成された室外ユニットでは、動翼５の方向に水が流れ落ちるような形状の固定羽根７が、水平部をもつことを防止できる。このため、室外ユニットの上部に積もった雪などが解けて、固定羽根７にたまったり、氷柱が発生したり、成長したりすることを防止できる。
【０１０１】
さらに、このような室外ユニットでは、静翼８の固定羽根７と吹出グリル２５とが直接、固定されることなく、それぞれが筐体２１に固定されているので、落下や正面からの人為的な圧力によって吹出グリル２５に、外力がかかったとしても、その外力は筐体２１の正面部２１ａの変形によって、ある程度吸収されるために、静翼８が変形したり、静翼８の固定羽根７とオリフィス９との位置関係がずれたりすることがない。このため、吹出グリル２５の強度を増加させる必要がなく、安価に室外ユニットを構成できる。
【０１０２】
また、静翼８の固定羽根７と吹出グリル２５とを別体で構成することができるので、固定羽根７を成型する際の成型精度を向上させることができ、安価に静圧を効率よく回収できる静翼８を製造することができる。例えば、固定羽根７と吹出グリル２５とを一体成形とした際には、固定羽根７と吹出グリル２５とが交差する位置に、アンダーカット解消用のヒレを設ける必要がある。
【０１０３】
ここで、アンダーカットとは、成形加工において、金型から成形品を取り出す（離型する）際に、型を開く方向のみでは離型できない形状のことであり、これを解消するためのヒレを設けないと上下方向のみに開く金型では製造することはできず、横方向にスライドするスライドコア（サイドコア）を設ける必要であり、金型費用が高額となり、製作費用が高くなる形状である。
【０１０４】
しかし、本実施の形態では、このようなアンダーカット解消用のヒレを設ける必要がなくなるため、固定羽根７にヒレを設けることによって、静翼８が静圧を回収する際の性能劣化を抑えることができる。
【０１０５】
（実施の形態２）
図８は、本発明の実施の形態２における送風機の吐出側からみた正面図である。なお、本実施の形態において、実施の形態１と同じ構成要素については同一の符号を付して説明を省略する。
【０１０６】
以下、本実施の形態と、実施の形態１とで異なる点のみを説明する。
図８に示すように、動翼５の吐出側（下流側）には、固定ハブ６と、固定ハブ６の周囲に
設けられた１２枚の固定羽根７とを有する静翼１８が設けられている。静翼１８は、動翼５の回転方向が時計回りとなる方向から見て回転軸２より左側で上下方向の中央にあたる領域では、固定羽根７のピッチが、その他の領域での固定羽根７のピッチの２倍となるように構成されている。つまり、仮に、同じ形状の固定羽根７を等ピッチで配置すると、動翼５の回転方向が時計回りとなる方向から見て回転軸２より左側で上下方向の中央にあたる領域には１枚の固定羽根７が配置されることとなる。
【０１０７】
また、動翼５の回転方向が時計回りとなる方向から見て固定ハブ６より左側の領域に設けられた固定羽根１７の形状は、固定ハブ６より右側の領域に設けられた固定羽根７の形状とは異なっている。
【０１０８】
形状が異なる固定羽根１７は、仮に、同じ形状の固定羽根７を等ピッチで配置すると、固定羽根の中央部７ｍの少なくとも一部が固定羽根の外周端７ｂより下方に位置することになる固定羽根である。そして、固定羽根１７は、固定羽根の中央部１７ｍから外周端７ｂまでに水平部を設けないような形状となっている。
【０１０９】
より詳細には、固定羽根１７の中央部１７ｍと固定ハブ側端１７ａとの間の形状は、他の固定羽根７と同じ形状であり、中央部１７ｍと外周端１７ｂとの間の形状が異なる。後縁１７２は、固定羽根１７の中央部１７ｍと固定ハブ側端１７ａとの間は、曲線状に構成されているが、中央部１７ｍと外周端１７ｂとの間では、直線状に形成されている。
【０１１０】
なお、固定羽根１７の子午面高さｈ２は、他の１１枚の固定羽根７の子午面高さｈ２と同じであり、固定ハブ側端１７ａから外周端１７ｂまで一定である。また、固定羽根１７の羽根取付角θは、他の１１枚の固定羽根７の羽根取付角θと同じであり、中央部１７ｍより外周端１７ｂ側の羽根取付角θｂを、中央部１７ｍより固定ハブ側端１７ａ側の羽根取付角θａに比べて大きくしている。
【０１１１】
このため、固定羽根１７の前縁１７１は、固定羽根１７の中央部１７ｍと固定ハブ側端１７ａとの間は、他の１１枚の固定羽根７と同様に、直線状に構成されているが、中央部１７ｍと外周端１７ｂとの間では、曲線状に形成されることとなる。
【０１１２】
あるいは、静翼１８は、仮に、領域Ｘ１以外の領域に設けられた固定羽根７と等ピッチで、領域Ｘ１に同じ形状の固定羽根７を配置すると、固定羽根７の中央部７ｍの少なくとも一部が同じ固定羽根７の外周端７ｂより下方に位置することになる固定羽根７のうち、前縁７１または後縁７２が水平となる箇所が多い方の１枚を除いた状態となるようにするとともに、水平となる箇所が少ない方の１枚の固定羽根の形状の一部を修正した構成となっている。
本実施の形態では、図８に示すように、固定羽根７の前縁７１が後縁７２より下方に位置する領域での固定羽根７のうち少なくとも１枚の形状が異なるので、図６の構成の静翼に比べて、動翼５の方向に水が流れやすい状態に設けられた固定羽根７に、水平となる部分をもつことを低減できる。
【０１１３】
そして、固定ハブ２０６より左側にある固定羽根７や固定羽根１７の前縁７１や前縁１７１または後縁７２や後縁１７２が水平部を持たないので、水滴は停滞せずに左右方向に流れるため、動翼５に向かう氷柱は成長しない。
【０１１４】
また、図６の構成の静翼から、固定ハブ６より左側にあって、前縁水平部７１ｆまたは後縁水平部７２ｆがある２枚の固定羽根７の一方を除き、もう一方の固定羽根１７は、形状を一部修正して、後縁１７２の水平になっていた部分を、左右で傾斜が変わる部分に変更して、水平部分がなく片方に傾斜した形状にしたので、水滴は停滞せずに左右方向（外
周端１７ｂ方向または固定ハブ側端１７ａ方向）に流れるため、動翼５に向かう氷柱が成長し、動翼５と干渉して、異常音を生じたり、動翼５が停止したり破損することがない。さらに、形状が異なる固定羽根の枚数を最小限として、静翼１８の静圧を回収する効果を最大に維持できる。
【０１１５】
また、固定羽根７から固定羽根１７への形状修正は、固定羽根７の後縁７２の成す曲線形状は修正したが、図１における子午面高さｈ２や、図３における羽根取付角θは変更していない。このため、固定羽根１７の前縁７１の形状も固定羽根７とは変わっているが、この修正による静圧を回収する性能の低下はほとんどない。これは、静翼が静圧を回収する性能は、子午面高さｈ２と羽根取付角θの影響が大きいことによる。
【０１１６】
なお、本実施の形態では、図６の構成の静翼から固定羽根７を１枚は取り除き、１枚は形状修正している。これは、前者の固定羽根７は固定羽根全体がほぼ水平になっており、形状修正よりものぞく方が、より確実に氷柱のリスクを回避できるからである。したがって、固定羽根７の姿勢によっては、前者の固定羽根７を除くことなく、氷柱が成長する恐れのある固定羽根の総てを形状修正してもよい。
【０１１７】
また、本実施の形態では、固定羽根７の前縁７１を直線状とし、後縁７２を曲線状とするとしたが、水滴がたまりやすい箇所を設けないという観点では、前縁７１を曲線状とし、後縁７２は直線状にしてもよい。この場合には、形状を変更する固定羽根１７は、前縁１７１の中央部１７ｍと固定ハブ側端１７ａとの間では直線状とし、中央部１７ｍと外周端１７ｂとの間では曲線状とするとともに、後縁１７２の中央部１７ｍと固定ハブ側端１７ａとの間では曲線状とし、中央部１７ｍと外周端１７ｂとの間では直線状とすればよい。
【０１１８】
以上のように、本実施の形態の送風機は、動翼５の方向に水が流れ落ちるような形状に配置された固定羽根７が、水平部をもつことを防止できる。このため、送風機１やその周辺部材の上部に積もった雪などが解けて、固定羽根７や固定羽根１７にたまったり、氷柱が発生したり、成長したりすることを防止できる。これにより、氷柱が動翼と干渉して、異常音を生じたり、動翼が停止したり破損することがない。
【０１１９】
また、本実施の形態の送風機を搭載した室外ユニットは、動翼５の方向に水が流れ落ちるような形状の固定羽根７が、水平部をもつことを防止できる。このため、室外ユニットの上部に積もった雪などが解けて、固定羽根７にたまったり、氷柱が発生したり、成長したりすることを防止できる。
【産業上の利用可能性】
【０１２０】
以上のように、本発明にかかる構成の送風機は、空力性能の向上と、高効率化を両立を可能としながら、厳冬期などの氷点下以下の周囲温度条件において、氷の発生や成長による異音の発生や動翼の破損を防止できるので、家庭用、業務用等エアコンの空調機器、給湯機等のヒートポンプ機器などの用途にも適用できる。
【符号の説明】
【０１２１】
１  送風機
２  回転軸
３  回転ハブ
４  回転羽根
５、２０５  動翼
６、２０６  固定ハブ
７、１７、２０７  固定羽根
７ａ、１７ａ  固定ハブ側端
７ｂ、１７ｂ  外周端
７ｍ、１７ｍ  中央部
７１、１７１  前縁
７２、１７２  後縁
８、１８  静翼
９  オリフィス
９ｘ  最小径部
９ｙ  吐出側開口部
９ｚ  吸入側開口部
１０  モータ
１１  支持枠
１２  延長部
１３  脚部
２１  筐体
２１ａ  正面部
２２  圧縮機
２３  室外熱交換器
２４  モータ固定具
２５  吹出グリル
【図１】
2015151922.tif 000003
【図２】
2015151922.tif 000004
【図３】
2015151922.tif 000005
【図４】
2015151922.tif 000006
【図５】
2015151922.tif 000007
【図６】
2015151922.tif 000008
【図７】
2015151922.tif 000009
【図８】
2015151922.tif 000010
【図９】
2015151922.tif 000011